(57)【要約】      （修正有）【課題】配線が簡素化されたランプビーズ及びライトバーを提供する。【解決手段】ランプビーズには、パッケージハウジング、１つ又は複数のＬＥＤランプ、ＬＥＤランプ駆動チップが含まれ、ＬＥＤランプ及びＬＥＤランプ駆動チップは、いずれもパッケージハウジング内に配置され、パッケージハウジングの底部の外側には、縦方向に配置された電源正極接続端子ＶＤＤ、信号接続端子ＩＯ、及び電源負極接続端子ＧＮＤが露出されている。縦方向に配置された電源正極接続端子、信号接続端子及び電源負極接続端子のパッケージ構造によって、配線する時に、すべてのランプビーズの電源正極接続端子、電源負極接続端子、及び、信号接続端子がそれぞれ一つの直線にあるので、配線が簡素化される。【選択図】図４
0003230642.tif 000002
【実用新案登録請求の範囲】
【請求項１】
ランプビーズであって、前記ランプビーズには、パッケージハウジング、１つ又は複数のＬＥＤランプ、ＬＥＤランプ駆動チップが含まれ、
前記ＬＥＤランプと前記ＬＥＤランプ駆動チップは、いずれも前記パッケージハウジング内に配置され、
前記パッケージハウジングの底部の外側には、縦方向に配置された電源正極接続端子、信号接続端子及び電源負極接続端子が露出されていて、前記信号接続端子には、横方向に配置された第１の信号接続端子及び第２の信号接続端子が含まれ、前記電源正極接続端子、前記信号接続端子及び前記電源負極接続端子は前記パッケージハウジングの底部を貫通し、
前記ＬＥＤランプ駆動チップの第１の信号端子及び第２の信号端子は、それぞれ、第１の信号接続端子及び第２の信号接続端子に接続され、
前記ＬＥＤランプ駆動チップの電源正極入力端子と電源負極入力端子は、それぞれ前記電源正極接続端子と前記電源負極接続端子に接続され、
１つ又は複数のＬＥＤランプのアノードはそれぞれ前記電源正極接続端子と接続され、１つ又は複数のＬＥＤランプのカソードは、それぞれ前記ＬＥＤランプ駆動チップの１つ又は複数のＬＥＤ入力端子に１対１の対応で接続されることを特徴とするランプビーズ。
【請求項２】
前記電源正極接続端子、前記信号接続端子、及び前記電源負極接続端子は、上から下に、順次、電源正極接続端子、信号接続端子、及び電源負極接続端子、或いは電源負極接続端子、信号接続端子、及び電源正極接続端子、或いは信号接続端子、電源正極接続端子、及び電源負極接続端子、或いは信号接続端子、電源負極接続端子、及び電源正極接続端子という順序であることを特徴とする請求項１に記載のランプビーズ。
【請求項３】
前記電源正極接続端子、前記信号接続端子、及び前記電源負極接続端子の接続端子の形式は、はんだラグ、ピン、及び／又は接線端子であることを特徴とする請求項１に記載のランプビーズ。
【請求項４】
前記ランプビーズには、さらにＰＣＢボードが含まれ、前記ＬＥＤランプ、前記ＬＥＤランプ駆動チップ、前記電源正極接続端子、前記信号接続端子及び前記電源負極接続端子はすべてＰＣＢボード上に配置されることを特徴とする請求項１に記載のランプビーズ。
【請求項５】
前記ＬＥＤランプ駆動チップがＶｉｐｅｒ（登録商標）２２Ａであることを特徴とする請求項１に記載のランプビーズ。
【請求項６】
ライトバーであって、前記ライトバーには、請求項１〜５のいずれか一項に記載のランプビーズが含まれ、複数の前記ランプビーズの第１の信号接続端子と第２の信号接続端子を順次直列に接続し、複数の前記ランプビーズの電源正極接続端子が相互接続され、複数の前記ランプビーズの電源負極接続端子が相互接続されることを特徴とするライトバー。
【請求項７】
前記ライトバーには、さらに電源とコントローラが含まれ、
前記電源は前記コントローラの電源入力端子に接続され、
前記コントローラの電源正極出力端子は、複数の前記ランプビーズの電源正極接続端子に接続され、前記コントローラの電源負極出力端子は、複数の前記ランプビーズの電源負極接続端子に接続され、
前記コントローラの信号出力端子は、順次直列に接続された複数の前記ランプビーズの第１のランプビーズの第１の信号接続端子に接続されていることを特徴とする請求項６に記載のライトバー。
【請求項８】
前記電源、前記コントローラ及び複数の前記ランプビーズは、回路基板、ワイヤ、又はエナメル線を介して接続されていることを特徴とする請求項７に記載のライトバー。
【考案の詳細な説明】
【技術分野】
【０００１】
本考案は、ＬＥＤランプ設計の技術分野に関し、特にランプビーズ及びライトバーに関する。
【背景技術】
【０００２】
既存のライトバーは、ＬＥＤが回路基板に取り付けられたものであり、フレキシブル回路基板とハード回路基板があり、回路基板をプリントする銅箔でＬＥＤランプに接続され電力提供及びデータ送信が実現され、図１は既存のＬＥＤランプの構造であり、図２は既存のライトバーの構造であり、図１と図２から、同じ容量のＬＥＤランプは、より広い回路基板を必要とし、配線がより混乱となっていることがわかり、ＬＥＤランプのパッケージ構造問題により、回路基板の材料が無駄になり、配線が複雑になり、従来の配線又はエナメル線を使用する場合、接続がより難しく、配線が平行でないため、統括に設計して配置することが難しく、セクションごとに溶接する必要があり、工程が複雑で、溶接点が多いため、後の使用に支障をきたしたり、信頼性が低下したりする。
【考案の概要】
【考案が解決しようとする課題】
【０００３】
本考案は、ＬＥＤランプの既存のパッケージ構造によって引き起こされる複雑な配線の技術的欠陥を克服するためのランプビーズ及びライトバーを提供することを目的とする。
【課題を解決するための手段】
【０００４】
上記目的を実現するために、本考案は以下の解決策を提供する。
ランプビーズであって、前記ランプビーズには、パッケージハウジング、１つ又は複数のＬＥＤランプ、ＬＥＤランプ駆動チップが含まれ、
前記ＬＥＤランプと前記ＬＥＤランプ駆動チップは、いずれもパッケージハウジング内に配置され、
前記パッケージハウジングの底部の外側には、縦方向に配置された電源正極接続端子、信号接続端子及び電源負極接続端子が露出されていて、前記信号接続端子には、横方向に配置された第１の信号接続端子及び第２の信号接続端子が含まれ、前記電源正極接続端子、前記信号接続端子及び前記電源負極接続端子は前記パッケージハウジングの底部を貫通し、
前記ＬＥＤランプ駆動チップの第１の信号端子及び第２の信号端子は、それぞれ、第１の信号接続端子及び第２の信号接続端子に接続され、
前記ＬＥＤランプ駆動チップの電源正極入力端子と電源負極入力端子は、それぞれ前記電源正極接続端子と前記電源負極接続端子に接続され、
１つ又は複数のＬＥＤランプのアノードはそれぞれ前記電源正極接続端子と接続され、１つ又は複数のＬＥＤランプのカソードは、それぞれ前記ＬＥＤランプ駆動チップの１つ又は複数のＬＥＤ入力端子に１対１の対応で接続される。
【０００５】
また、前記電源正極接続端子、前記信号接続端子、及び前記電源負極接続端子は、上から下に、順次、電源正極接続端子、信号接続端子、及び電源負極接続端子、或いは電源負極接続端子、信号接続端子、及び電源正極接続端子、或いは信号接続端子、電源正極接続端子、及び電源負極接続端子、或いは信号接続端子、電源負極接続端子、及び電源正極接続端子という順序である。
【０００６】
また、前記電源正極接続端子、前記信号接続端子、及び前記電源負極接続端子の接続端子の形式は、はんだラグ、ピン、及び／又は接線端子である。
【０００７】
また、前記ランプビーズには、さらにＰＣＢボードが含まれ、前記ＬＥＤランプ、前記ＬＥＤランプ駆動チップ、前記電源正極接続端子、前記信号接続端子及び前記電源負極接続端子はすべてＰＣＢボード上に配置される。
【０００８】
また、前記ＬＥＤランプ駆動チップがＶｉｐｅｒ（登録商標）２２Ａである。
【０００９】
ライトバーであって、前記ライトバーには、複数のランプビーズが含まれ、複数の前記ランプビーズの第１の信号接続端子と第２の信号接続端子を順次直列に接続し、複数の前記ランプビーズの電源正極接続端子は相互接続され、複数の前記ランプビーズの電源負極接続端子が相互接続される。
【００１０】
また、前記ライトバーには、さらに電源とコントローラが含まれ、
前記電源は前記コントローラの電源入力端子に接続され、
前記コントローラの電源正極出力端子は、複数の前記ランプビーズの電源正極接続端子に接続され、前記コントローラの電源負極出力端子は、複数の前記ランプビーズの電源負極接続端子に接続され、
前記コントローラの信号出力端子は、順次直列に接続された複数の前記ランプビーズの第１のランプビーズの第１の信号接続端子に接続されている。
【００１１】
また、前記電源、前記コントローラ及び複数の前記ランプビーズは、回路基板、ワイヤ、又はエナメル線を介して接続されている。
【考案の効果】
【００１２】
本考案によって提供される具体的な実施例によれば、本考案は、以下の技術的効果を開示する。
本考案は、ランプビーズを提供し、上記ランプビーズには、パッケージハウジング、１つ又は複数のＬＥＤランプ、ＬＥＤランプ駆動チップが含まれ、上記ＬＥＤランプ及び上記ＬＥＤランプ駆動チップは、いずれもパッケージハウジング内に配置され、上記パッケージハウジングの底部の外側には、縦方向に配置された電源正極接続端子、信号接続端子、及び電源負極接続端子が露出されていて、前記ＬＥＤランプ駆動チップの第１の信号端子及び第２の信号端子は、それぞれ、第１の信号接続端子及び第２の信号接続端子に接続され、前記ＬＥＤランプ駆動チップの電源正極入力端子と電源負極入力端子は、それぞれ前記電源正極接続端子と前記電源負極接続端子に接続され、１つ又は複数の前記ＬＥＤランプのアノードは、それぞれ前記電源正極接続端子と接続され、１つ又は複数のＬＥＤランプのカソードは、それぞれ前記ＬＥＤランプ駆動チップの１つ又は複数のＬＥＤ入力端子に１対１の対応で接続される。本考案は、縦方向に配置された電源正極接続端子、信号接続端子及び電源負極接続端子のパッケージ構造によって、配線時に、すべてのランプビーズの電源正極接続端子が一つの直線上にあり、電源負極接続端子が一つの直線上にあり、信号接続端子が一つの直線上にあるので、配線がより簡素化され、既存のＬＥＤランプのパッケージ構造によって引き起こされる複雑な配線の技術的な欠陥が克服される。
【００１３】
本考案の実施例又は先行技術における技術的解決策をより明確に説明するために、以下に、実施例に必要な図面を簡単に紹介するが、明らかに、以下の説明における図面は、本考案の実施例の一部にすぎず、当業者にとって、これらの図面に基づいて、創造的な労力をかけずに他の図面を入手することができる。
【図面の簡単な説明】
【００１４】
【図１】本考案によって提供される先行技術におけるＬＥＤランプのパッケージ構造の概略図である。
【図２】本考案によって提供される先行技術における複数のＬＥＤランプによって形成されたライトバーの配線構造の概略図である。
【図３】本考案の実施例１で提供されるランプビーズパッケージ構造の概略図であり、図３（ａ）は実施例１で提供されるランプビーズパッケージ構造の正面図、図３（ｂ）は実施例１で提供されるランプビーズパッケージ構造の底面図である。
【図４】本考案の実施例１で提供されるランプビーズパッケージ構造の内部配線概略図、図４（ａ）は実施例１で提供される１つのＬＥＤランプが含まれるランプビーズパッケージ構造の内部配線概略図、図４（ｂ）は実施例１で提供される２つのＬＥＤランプが含まれるランプビーズパッケージ構造の内部配線概略図、図４（ｃ）は実施例１で提供される３つのＬＥＤランプが含まれるランプビーズパッケージ構造の内部配線概略図、図４（ｄ）は４つのＬＥＤランプが含まれるランプビーズパッケージ構造の内部配線概略図である。
【図５】本考案の実施例１で提供されるランプビーズから構成されるライトバーの配線概略図である。
【図６】本考案の実施例２で提供されるランプビーズパッケージ構造の正面図である。
【図７】本考案の実施例２で提供されるランプビーズパッケージ構造の底面図である。
【図８】本考案の実施例２で提供されるランプビーズパッケージ構造の内部配線概略図、図８（ａ）は、実施例２で提供される１つのＬＥＤランプが含まれるランプビーズパッケージ構造の内部配線概略図、図８（ｂ）は実施例２で提供される２つのＬＥＤランプが含まれるランプビーズパッケージ構造の内部配線概略図、図８（ｃ）は、実施例２で提供される３つのＬＥＤランプが含まれるランプビーズパッケージ構造の内部配線概略図、図８（ｄ）は、実施例２で提供される４つのＬＥＤランプが含まれるランプビーズパッケージ構造の内部配線概略図である。
【図９】本考案の実施例２で提供されるランプビーズから構成されるライトバーの配線概略図である。
【図１０】本考案によって提供されるランプビーズが回路基板上に配線される配線概略図、図１０（ａ）はランプビーズが回路基板上に配線される配線概略図、図１０（ｂ）は回路基板に配線されたランプビーズの構造図である。
【図１１】本考案によって提供されるランプビーズを通常線又はエナメル線によって配線する配線概略図、図１１（ａ）はランプビーズを通常線又はエナメル線で配線する配線図、図１１（ｂ）は通常線又はエナメル線を用いたランプビーズの構造図である。
【図１２】本考案によって提供されるパッケージハウジング付きのランプビーズを通常線又はエナメル線で配線する配線概略図、図１２（ａ）は、パッケージハウジング付きのランプビーズを通常線又はエナメル線で配線する配線図、図１２（ｂ）は、通常線又はエナメル線で配線されたパッケージハウジング付きのランプビーズの構造図である。
【考案を実施するための形態】
【００１５】
本考案の実施形態における技術的解決策は、本考案の実施形態における図面と併せて明確かつ完全に説明されるが、明らかに、記載された実施形態は、すべての実施形態ではなく、本考案の実施形態の一部にすぎず、本考案の実施形態に基づいて、創造的な作業なしに当業者によって得られる他のすべての実施形態は、本考案の保護範囲に含まれる。
【００１６】
本考案は、ＬＥＤランプの既存のパッケージ構造によって引き起こされる複雑な配線の技術的欠陥を克服するためのランプビーズ及びライトバーを提供することを目的とする。
【００１７】
本考案の上記の目的、特徴及び利点をより明白かつ理解しやすくするために、以下で本考案を、図面及び特定の実施形態と併せて、さらに詳細に説明する。
【００１８】
本考案はランプビーズを提供し、前記ランプビーズには、パッケージハウジング、１つ又は複数のＬＥＤランプ、ＬＥＤランプ駆動チップが含まれ、前記ＬＥＤランプと前記ＬＥＤランプ駆動チップは、いずれもパッケージハウジング内に配置され、前記パッケージハウジングの底部の外側には、縦方向に配置された電源正極接続端子、信号接続端子及び電源負極接続端子が露出されていて、前記信号接続端子には、横方向に配置された第１の信号接続端子及び第２の信号接続端子が含まれ、前記電源正極接続端子、前記信号接続端子及び前記電源負極接続端子は前記パッケージハウジングの底部を貫通し、前記ＬＥＤランプ駆動チップの第１の信号端子及び第２の信号端子は、それぞれ、第１の信号接続端子及び第２の信号接続端子に接続され、前記ＬＥＤランプ駆動チップの電源正極入力端子と電源負極入力端子は、それぞれ前記電源正極接続端子と前記電源負極接続端子に接続され、１つ又は複数のＬＥＤランプのアノードはそれぞれ前記電源正極接続端子と接続され、１つ又は複数のＬＥＤランプのカソードは、それぞれ前記ＬＥＤランプ駆動チップの１つ又は複数のＬＥＤ入力端子に１対１の対応で接続される。前記電源正極接続端子、前記信号接続端子、及び前記電源負極接続端子は、上から下まで、順次、電源正極接続端子、信号接続端子、及び電源負極接続端子、或いは電源負極接続端子、信号接続端子、及び電源正極接続端子、或いは信号接続端子、電源正極接続端子、及び電源負極接続端子、或いは信号接続端子、電源負極接続端子、及び電源正極接続端子という順序である。前記電源正極接続端子、前記信号接続端子、及び前記電源負極接続端子の接続端子の形式は、はんだラグ、ピン、及び／又は接線端子である。前記ランプビーズには、さらにＰＣＢボードが含まれ、前記ＬＥＤランプ、前記ＬＥＤランプ駆動チップ、前記電源正極接続端子、前記信号接続端子及び前記電源負極接続端子はすべてＰＣＢボード上に配置される。前記ＬＥＤランプ駆動チップがＶｉｐｅｒ（登録商標）２２Ａである。
【００１９】
本考案はまた、ライトバーを提供し、前記ライトバーには、複数のランプビーズが含まれ、複数の前記ランプビーズの第１の信号接続端子と第２の信号接続端子を順次直列に接続し、即ち、第１のランプビーズの第２の信号接続端子は、第２のランプビーズの第１の信号接続端子と接続され、第２のランプビーズの第２の信号接続端子は、第３のランプビーズの第１の信号接続端子と接続され、他にはそのように類推できる。複数の前記ランプビーズの電源正極接続端子は相互接続され、複数の前記ランプビーズの電源負極接続端子は相互接続される。前記ライトバーには、さらに電源とコントローラが含まれ、前記電源は前記コントローラの電源入力端子に接続され、前記コントローラの電源正極出力端子は、複数の前記ランプビーズの電源正極接続端子に接続され、前記コントローラの電源負極出力端子は、複数の前記ランプビーズの電源負極接続端子に接続され、前記コントローラの信号出力端子は、順次直列に接続された複数の前記ランプビーズの第１のランプビーズの第１の信号接続端子に接続されている。前記電源、前記コントローラ及び複数の前記ランプビーズは、回路基板、ワイヤ、又はエナメル線を介して接続されている。
【００２０】
（実施例１）
図３に示すように、本考案の実施例１で提供されるランプビーズの電源正極接続端子、信号接続端子、及び電源負極接続端子の配置は、上からの下へ、順次に、信号接続端子、電源正極接続端子、及び電源負極接続端子という順序である。本考案の実施例１で提供されるランプビーズの内部配線方法を図４に示す。本考案の実施例１で提供されるランプビーズから構成されるライトバーの配線方法を図５に示す。
【００２１】
（実施例２）
図６及び図７に示すように、本考案の実施例２によって提供されるランプビーズの電源正極接続端子、信号接続端子、及び電源負極接続端子の配置は、上から下へ、順次に電源正極接続端子、信号接続端子及び電源負極接続端子という順序である。本考案の実施例２で提供されるランプビーズの内部配線方法を図８に示す。本考案の実施例２で提供されるランプビーズから構成されるライトバーの配線方法を図９に示す。
【００２２】
図３〜９に示すように、本考案では、配線中に３線式並列が実現できるようにＬＥＤランプの正極及び負極とＩＯポートを合わせて調整する。これにより、はんだ付けポイントと配線長を大幅に短縮できる。ＩＯポートの配線は、溶接完了後に各ＬＥＤランプのＩＯポートの間を切断するだけで済む。本考案のライトバーには、コントローラ、ランプビーズ、ワイヤが含まれ、コントローラのＩＯ（信号出力端子）、ＶＤＤ（電源正極出力端子）、ＧＮＤ（電源負極出力端子）は、それぞれランプビーズのＩＯ（信号接続端子）、ＶＤＤ（電源正極接続端子）、ＧＮＤ（電源負極接続端子）と接続する。
【００２３】
すべてのランプビーズのＶＤＤが相互に接続され、すべてのランプビーズのＧＮＤが相互に接続され、ＬＥＤの１番目のランプビーズのＩＯが２番目のランプビーズのＩＯと接続され、２番目のランプビーズのＩＯが３番目のランプビーズのＩＯと接続され、このようなサイクルで続ければよいが、複数のライトバーが端から端まで接続されてもよい。
【００２４】
本考案の各ポートに接続される導体は、プリント回路基板銅箔であっても良く、ゴム付きワイヤ、又は絶縁エナメル線であってもよいので、製造が非常に簡単であり、接続信頼性が高く、製造が簡単であるため、効率が大幅に向上し、製造コストを大幅に削減する。図１０は、本考案のランプビーズが回路基板上に接続された配線の概略図であり、図１１は、本考案のランプビーズが通常のワイヤ又はエナメル線を使用して接続された配線の概略図であり、図１２は、本考案のランプビーズに保護ハウジングを追加した後に、通常のワイヤ又はエナメル線で接続される配線の概略図である。
【００２５】
本明細書の様々な実施例は、漸進的に記載され、各実施例は、他の実施例との違いに焦点を合わせて説明し、各実施例の間の同じ又は類似の部分は、互いに参照することができる。
【００２６】
この記事では、本考案の原理と実施形態を説明するために特定の例を使用したが、上記の実施例の説明は、本考案の方法とコアアイデアを理解するのに役立つためにのみ使用され、同時に、当業者であれば、本考案のアイデアに基づいて、特定の実施形態及び適用範囲を変更できる。要約すると、本明細書の内容は、本考案の限定として解釈されるべきではない。
【図１】
0003230642.tif 000003
【図２】
0003230642.tif 000004
【図３】
0003230642.tif 000005
【図４】
0003230642.tif 000006
【図５】
0003230642.tif 000007
【図６】
0003230642.tif 000008
【図７】
0003230642.tif 000009
【図８】
0003230642.tif 000010
【図９】
0003230642.tif 000011
【図１０】
0003230642.tif 000012
【図１１】
0003230642.tif 000013
【図１２】
0003230642.tif 000014